(57)【要約】      （修正有）【課題】走行機体の前側に散布装置を装着して作業を行う散布作業機において、畦などを走行機体が乗り越える際に、事前に散布ホースを支持するフレームを取り外す手間を省く。【解決手段】散布対象物が貯留されるホッパー２と、ホッパーの底部に装着される繰り出し装置３と、繰り出し装置によって繰り出される散布対象物を地面近くに導く散布ホース５とを備える散布装置１を、走行機体Ｔの前側に支持して、走行機体を移動させながら散布作業を行う散布作業機であって、散布装置を走行機体の前側に支持するフレームＦを備え、フレームには、散布ホースの下部を地面に近い位置と地面から離れた位置に選択的に移動して保持する保持アーム１０が連結されている。【選択図】図１
0003224069.tif 000002
【実用新案登録請求の範囲】
【請求項１】
散布対象物が貯留されるホッパーと、前記ホッパーの底部に装着される繰り出し装置と、前記繰り出し装置によって繰り出される散布対象物を地面近くに導く散布ホースとを備える散布装置を、走行機体の前側に支持して、走行機体を移動させながら散布作業を行う散布作業機であって、
前記散布装置を走行機体の前側に支持するフレームを備え、
前記フレームには、前記散布ホースの下部を地面に近い位置と地面から離れた位置に選択的に保持する保持アームが連結されていることを特徴とする散布作業機。
【請求項２】
前記保持アームは、保持板を介して前記フレームに軸支されており、
前記保持板は、前記保持アームを異なる角度で保持するカム孔を備えることを特徴とする請求項１記載の散布作業機。
【考案の詳細な説明】
【技術分野】
【０００１】
本考案は、走行機体に装着される散布作業機に関するものである。
【背景技術】
【０００２】
従来の散布作業機は、トラクタなどの走行機体の後側又は前側に散布装置を装着することで、移動しながら圃場面上に肥料や薬剤などの粉粒材やペレットを散布するものであり、散布装置は、肥料などの散布対象物を貯留するホッパーと、ホッパーの底部に装備される繰り出し装置と、繰り出し装置の下部に接続される散布ホースなどを備えている。
【０００３】
前述した散布装置における繰り出し装置は、電動モータなどによって回転駆動される繰り出しロールを備えている。ホッパーの底部排出口には、開閉自在なシャッターが設けられており、シャッターを開状態にすることで開放された底部排出口から落下する肥料などの散布対象物は、繰り出しロールの回転に応じて設定された繰り出し量で散布ホースに繰り出される（下記特許文献１参照）。
【先行技術文献】
【特許文献】
【０００４】
【特許文献１】実用新案登録第３１９０２８３号公報
【考案の概要】
【考案が解決しようとする課題】
【０００５】
従来の散布作業機は、トラクタなどの走行機体の前側に散布装置を装着する場合、散布ホースを支持するフレームが、地面に近い位置で散布ホースの下部を保持しているため、圃場での散布作業を終えて、そのままの状態で走行機体が畦を乗り越えようとすると、散布ホースの下部を保持するフレームが畦に衝突してしまう問題があった。このため、走行機体が畦を乗り越える前に、散布ホースの下部を保持するフレームを走行機体から取り外す必要があり、その作業に手間が掛かっていた。
【０００６】
本考案は、このような問題に対処するために提案されたものである。すなわち、走行機体の前側に散布装置を装着して作業を行う散布作業機において、畦などを走行機体が乗り越える際に、事前に散布ホースを支持するフレームを取り外す手間を省くこと、などが本考案の課題である。
【課題を解決するための手段】
【０００７】
このような課題を解決するために、本考案は、以下の構成を具備するものである。
散布対象物が貯留されるホッパーと、前記ホッパーの底部に装着される繰り出し装置と、前記繰り出し装置によって繰り出される散布対象物を地面近くに導く散布ホースとを備える散布装置を、走行機体の前側に支持して、走行機体を移動させながら散布作業を行う散布作業機であって、前記散布装置を走行機体の前側に支持するフレームを備え、前記フレームには、前記散布ホースの下部を地面に近い位置と地面から離れた位置に選択的に保持する保持アームが連結されていることを特徴とする散布作業機。
【考案の効果】
【０００８】
このような特徴を備える本考案の散布作業機は、保持アームの保持状態を切り替えることで、簡単に散布ホースの下部を地面から離れた状態にすることができるので、畦などを走行機体が乗り越える際に、事前に散布ホースを支持するフレームを取り外す手間を省くことができる。
【図面の簡単な説明】
【０００９】
【図１】本考案の実施形態に係る散布作業機を示した説明図である。
【図２】保持アームの保持位置の切り替え機構を説明する説明図（散布ホースの下部を地面に近い位置で保持している状態）。
【図３】保持アームの保持位置の切り替え機構を説明する説明図（散布ホースの下部を地面から離れた位置で保持する操作の説明）。
【図４】保持アームの保持位置の切り替え機構を説明する説明図（散布ホースの下端部を地面に近い位置に戻す操作の説明）。
【考案を実施するための形態】
【００１０】
以下、図面を参照して本考案の実施形態を説明する。以下の説明で、異なる図における同一符号は同一機能の部位を示しており、各図における重複説明は適宜省略する。
【００１１】
図１に示すように、散布作業機１Ａは、トラクタなどの走行機体Ｔの前側に散布装置１を装着して、走行機体Ｔを走行しながら圃場などに肥料などの散布対象物を散布する作業を行うものである。
【００１２】
走行機体Ｔに装着される散布装置１は、肥料などの散布対象物を貯留するホッパー２と、ホッパー２の底部に装着される繰り出し装置３を備えており、繰り出し装置３の下側には、散布ホース５が接続された分配漏斗４が、着脱自在に装着されている。
【００１３】
散布装置１は、フレームＦ（縦フレームＦ１と横フレームＦ２）を介して走行機体Ｔの前側に支持されている。また、散布装置１の散布ホース５は、その下部５Ａが保持アーム１０によって保持されており、保持アーム１０は、散布ホース５の下部５Ａを地面ＧＬに近い位置と地面ＧＬから離れた位置に選択的に保持するように、保持板１１を介してフレームＦに連結されている。
【００１４】
このような散布作業機１Ａによると、走行機体Ｔが圃場内を走行して散布作業を行う際には、散布装置１における散布ホース５の下部５Ａを地面ＧＬに近い位置に保持して作業を行い、走行機体Ｔが畦を乗り越える際には、散布ホース５の下部５Ａを地面ＧＬから離れた位置に保持する。
【００１５】
これによると、走行機体Ｔが畦を乗り越える前に、散布ホース５の下部５Ａの保持位置を簡単に変更することができるので、事前に散布ホース５を支持するフレームを取り外す手間を省くことができる。また、その後、再度圃場内に入って作業を行う場合には、散布ホース５の下部５Ａの位置を地面ＧＬに近い位置に切り替えることができるので、引き続き作業を行う場合にも簡易に作業を継続することができる。
【００１６】
図２〜図４は、前述した保持アーム１０の保持位置切り替え機構を示している。保持アーム１０は、保持板１１を介してフレームＦに軸支されており、保持板１１は、保持アーム１０を異なる角度で保持するカム孔１２を備えている。散布ホース５の下部５Ａを地面に近い位置で保持する際には、図２に示すように、保持板１１は、ロックピン１３によってフレームＦに固定されている。この際には、カムピン１２Ａがへの字状に屈曲したカム孔１２の前側に保持されている。
【００１７】
散布ホース５の下部５Ａを地面から離れた位置に保持するには、先ず、前述したロックピン１３を外して、保持板１１を軸１１Ａの回りに回転可能な状態にし、図３に示すように、保持アーム１０の下方を手で持って、散布ホース５の下部５Ａを上に持ち上げる。この操作で、保持板１１のカム孔１２内に挿入されているカムピン１２Ａが、カム孔１２の後方側に移動することになり、カムピン１２Ａがカム孔１２の後方に嵌まり込むことで、保持アーム１０は、図３に示す傾斜角度で保持された状態になる。
【００１８】
そして再び、散布ホース５の下部５Ａを地面に近い位置に保持するには、カムピン１２Ａを持ち上げて、カム孔１２の前方側に移動することで、保持板１１は軸１１Ａの回りに回転可能な状態になる。この状態で、保持アーム１０の下方を手で持って、散布ホース５の下部５Ａを下げて、保持板１１をフレームＦに近づけ、フレームＦのロック孔１３Ａと保持板１１のロック孔１３Ｂを合わせて、そこにロックピン１３を挿入することで保持板１１を固定する。
【００１９】
このような散布作業機１Ａによると、保持アーム１０の保持状態を切り替えることで、簡単に散布ホース５の下部５Ａを地面から離れた状態にすることができるので、畦などを走行機体Ｔが乗り越える際に、事前に散布ホース５を支持するフレームを取り外す手間を省くことができる。
【００２０】
以上、本考案の実施の形態について図面を参照して詳述してきたが、具体的な構成はこれらの実施の形態に限られるものではなく、本考案の要旨を逸脱しない範囲の設計の変更等があっても本考案に含まれる
【符号の説明】
【００２１】
１：散布装置，１Ａ：散布作業機，
２：ホッパー，３：繰り出し装置，４：分配漏斗，
５：散布ホース，５Ａ：下部，
１０：保持アーム，１１：保持板，１１Ａ：軸，
１２：カム孔，１２Ａ：カムピン，
１３：ロックピン，１３Ａ，１３Ｂ：ロック孔，
Ｔ：走行機体，Ｆ：フレーム，Ｆ１：縦フレーム，Ｆ２：横フレーム
【図１】
0003224069.tif 000003
【図２】
0003224069.tif 000004
【図３】
0003224069.tif 000005
【図４】
0003224069.tif 000006